(57)【要約】【目的】人物像を設けた羽子板において、人物像の手に立体観とリアリテイを付与するとともに、簡易な構造からなる羽子板の提供を目的とする。【構成】手を有する人物橡を設けた羽子板において、少なくとも側端に位置する小指または親指のいずれかを含む手の一方の側面部およびこれと一体に形成された腕部を有する主要構成部と、それぞれ別個に形成された複数の他の指部を有する付随構成部とを備え、主要構成部の後方に配置して固着される付随構成部は、主要構成部の小指または親指の後方に一定の順序で少なくとも一部を重ね合わせるとともにこれら指部相互間に適宜な位置ずれを設けて積層化し、一方の側面である小指側または親指側からからみた手を立体的に表現してなる。【選択図】  図２
2004358187.tif 000002
【特許請求の範囲】
【請求項１】
手を有する人物像を設けた羽子板において、少なくとも側端に位置する小指または親指のいずれかを含む手の一方の側面部およびこれと一体に形成された腕部を有する主要構成部と、それぞれ別個に形成された複数の他の指部を有する付随構成部とを備え、主要構成部の後方に配置して固着される付随構成部は、主要構成部の小指または親指の後方に一定の順序で少なくとも一部を重ね合わせるとともにこれら指部相互間に適宜な位置ずれを設けて積層化し、一方の側面である小指側または親指側からからみた手を立体的に表現してなる羽子板。
【請求項２】
手を有する人物像を設けた羽子板において、少なくとも小指を含む手の一方の側面部およびこれと一体に形成された腕部を有する主要構成部と、それぞれ別個に形成された複数の他の指部を有する付随構成部を備え、主要構成部の後方に配置して固着される付随構成部は、主要構成部の小指の後方に、薬指、中指、人指指の順序で少なくとも互いに一部を重ね合わせるとともにこれら指部相互間に適宜な位置ずれを設けて積層化し、一方の側面である小指側からみた手を立体的に表現してなる羽子板。
【請求項３】
手を設けた人物像を備える羽子板において、少なくとも親指、人指指を含む手の一方の側面部およびこれと一体に形成された腕部を有する主要構成部と、それぞれ別個に形成された複数の他の指部を有する付随構成部を備え、主要構成部の後方に配置して固着される付随構成部は、分離された親指または人指指の後方に、中指、薬指、小指の順序で少なくとも互いに一部を重ね合わせるとともにこれら指部相互間に適宜な位置ずれを設けて積層化し、一方の側面である親指側からみた手を立体的に表現した羽子板。
【請求項４】
手を有する人物像を設けた羽子板において、少なくとも小指を含む手の一方の側面部およびこれと一体に形成された腕部を有する主要構成部と、それぞれ別個に形成された複数の他の指部を有する付随構成部と、掌部とを備え、主要構成部の後方に配置して固着される付随構成部は、小指の後方に、薬指、中指、人指指の順序で少なくとも一部を重ね合わせるとともにこれら指部相互間に適宜な位置ずれを設けて積層化し、かつ掌部の一部を少なくとも主要構成部の後方に配置して固着し、一方の側面である小指側からみた手を立体的に表現した羽子板。
【請求項５】
掌部には周縁から突出する親指を一体に形成した請求項３に記載の羽子板。
【請求項６】
主要構成部の後方に配置して固着される付随構成部は、複数の他の指部の基端を互いに若干ずれを生ずるように重ね合わせるとともに各指部の厚みによる段差を設けて積層化し、少なくとも段差上に配置される掌部に段差による傾斜を設けた請求項１、２又は３に記載の羽子板。
【請求項７】
傾斜を設けた掌部と、掌部に対向する付随構成部および／または主要構成部との間に飾りの物など他の付随物を保持してなる請求項３又は５に記載の羽子板。
【請求項８】
付随構成部である他の指部は少なくとも１つの指部が隣接する他の指部と分離されている請求項１、２又は３に記載の羽子板。
【請求項９】
付随構成部である他の指部にはあらかじめ表面処理を施し、主要構成部を押絵構造とした請求項１、２又は３に記載の羽子板
【請求項１０】
付随構成部である他の指部は関節部が屈折あるいは屈曲している請求項１、２又は３に記載の羽子板。
【発明の詳細な説明】
【０００１】
【発明の属する技術分野】
本発明は手を有する人物像を設けた羽子板の改良にかんする。
【０００２】
【従来の技術】
手を有する人物像を設けた羽子板については従来から人物像を立体的に表現するため種々の工夫がなされている。平板上に配置された人物像をより立体的に表現することが人物像にリアリテイを与え、また商品価値を高めるからである。しかしながら手の部分は細い指が５本（片手）もあること、指が部分的に屈折／屈曲するなど複雑な形態をとることなどから、重要な構成部分である指を含む手の部分を立体的に表現することが困難であった。従来の一般的な構造は、厚紙で手の全体形状を形成するとともに厚紙の表面に指を筆線で描出する手段が採られているが、これでは手の部分が扁平で立体感に乏しく著しく見劣りがする。また指など細部にまったくリアリテイがないなどの欠点があった。人物像を立体的に表現すればする程、このような手の部分の欠点が目立つという不都合があった。
【０００３】
【発明が解決しようとする課題】
本発明はこのような不都合を解消するものであり、解決しようとする課題は、手を有する人物像を設けた羽子板において、人物像の手に立体観とリアリテイを付与するとともに、簡易な構造からなる羽子板を提供するものである。
【０００４】
【課題を解決するための手段】
この課題を解決するため、本発明にかかる羽子板は、手を有する人物像を設けた羽子板において、少なくとも両側端にある小指あるいは親指を含む手の一方の側面部と一体に形成された腕部を有する主要構成部と、それぞれ別個に形成された複数の他の指部を有する付随構成部を備え、主要構成部の後方に配置される付随構成部は、主要構成部の小指あるいは親指の後方に一定の順序で少なくとも互いに一部を重ね合わせるとともに主要構成部の裏面に固着し、かつ指部相互間に適宜な位置ずれを設け、一方の側面である小指側あるいは親指側からからみた手を立体的に表現してなるものである。
【０００５】
【発明の実施の形態】
羽子板Ａには手１を有する人物像Ｂが設けられ人物像Ｂの袖口２からは手１が突出している。
手１はこれに連続する腕部３の基端部３０を袖口２内に挿入するとともに接着剤で固着されている。手１を袖口２や着物など固定する手段、構造は種々に可能であり、限定はない。手１は一方の側面からみた状態、すなわち手の一方の側面部１２を表現したものである。手の一方の側面部とは、小指５が位置する側の手の側面部１２あるいは親指１１が位置する側の手の側面部１２をいい、この場合小指５または親指１１が看者の視点に最も近く前方に位置する一方、その他の指部はその後方に位置するものである。小指側または親指側から見た状態である以上、斜め上方または斜め下方からみた手の一方の側面部、つまり斜視状であってもよい。
【０００６】
小指５側からみた手の具体例については、例えば、図２は小指５を含む指部（４本）を設け、親指が見えない状態、図３は小指５を含む指部（４本）と掌１０を設け親指が見えない状態、図４は小指５をむ指部（５本）と掌１０を設け親指１１がみえる状態をそれぞれ表現している。また親指１１側からみた手については、例えば、図４は親指１１と人差指９を含む指部（５本）を設けたもの、図５は親指１１と人差指９の指部（２本）を一体に設け他の指部がみえない状態を表現している。いずれの場合も、側端の小指５または親指１１が看者の視点に最も近い前方に位置している。
【０００７】
一方の側面の小指側からみた手について説明を加えると、手１は全体のうち比較的大きな部分を占める主要構成部Ｃと、これに付属する付随構成部Ｄを備える。主要構成部Ｃは少なくとも小指５を含む手の一方の側面部１２およびこれと一体に形成された腕部３を有する。基本構造となる主要構成部Ｃが一体に形成されている点に特徴がある。主要構成部Ｃは、厚紙などを裁断などして所定形状の基部１３の表面に肌色などの色彩を施して構成してもよいが、全体を１個の押絵構造（図１０参照）で形成する。
【０００８】
押絵構造は、厚紙などを裁断などして形成された所定形状の基部１３を、中に綿１５を入れて適宜な高低をつけるとともに布１６などで包むように被覆する構造である。布１６の表面には必要に肌色などの色彩などを施すなど適宜、表面処理を施してもよい。押絵構造により直線的に伸びる腕部３を基幹とした主要構成部Ｃが立体的に表現される。また小指５を含む主要構成部Ｃには自然な質感と量感が付与され、リアリテイもある。
【０００９】
付随構成部Ｄはそれぞれ別個に形成された複数の他の指部からなる。付随構成部は主要構成部Ｃの小指５を除く他の指部、つまり薬指６、中指７、人指指９、親指１１を含む。親指が見えない位置にある場合などは省略することができる。すなわちすべての指部を表現することもできるが、全部を表現する必要もなく、複数の指部を種々の形状、形態で表現する。但し親指１１は掌１０と一体に形成するのが望ましい（図８の基部１３のうち親指１１を有する掌１０参照）。
【００１０】
付随構成部Ｄの指部６、７、９は、厚紙などの扁平物を裁断などしてそれぞれ所定形状の基部１３、つまり薬指、中指、人指指の基部１３を形成するととも、表面に肌色などの色彩を施し、絵の具などで爪などを描出したものである（図７、８参照）。付随構成部Ｄの他に掌部の基部１０ａ（親指１１を設けものと親指を設けないもの）を加えることができる。このように基部１３に表面処理など、適宜な加工を施して主要構成部Ｃ、各指部である付随構成部Ｄ、また掌部１０を形成する。主要構成部Ｃと付随構成部Ｄ（薬指、中指、人指指の指部）を組み合わせると、掌部１０を設けない手１が形成される（図１参照）。また主要構成部Ｃと付随構成部Ｄ（薬指、中指、人指指の指部）と掌部１０を組み合わせると、掌部１０を設けた手１が形成される（図３、４参照）。片手１を形成するには１組Ｘの基部１３（主要構成部Ｃと付随構成部Ｄ、要すれば掌部１０の基部）があればよい。対象的に配置される両手２、２（図１の両手参照）を形成するには、２組Ｘ、Ｙの基部１３（主要構成部Ｃと付随構成部Ｄ、要すれば掌部の基部１３）を準備すればよい。図８は２組Ｘ、Ｙの基部１３を示し、掌部１０の基部１３は親指１１を有するものと、親指１１を有しないものがあり、適宜に選択できる。対象的に配置される両手２、２を形成する場合は、１組Ｘの基部を２組作り、そのうちに１組を反転して裏返し、両者を互いに対象的に配置すれば、同じ態様、大きさの左右の両手（２組Ｘ、Ｙの基部）が構成される。すなわち両手２、２の制作が容易であり、また同じ大きさ、態様の両手が簡易に構成される。
【００１１】
付随構成部Ｄは主要構成部Ｃの後方に一定の順序で配置される。主要構成部Ｃの後方に配置し、固着される付随構成部Ｄは、薬指６、中指７、人指指９である。付随構成部として親指を設ける場合は親指も加える（但し親指１１は掌部１０と一体に形成するのが望ましいことはすでに述べた）。その配列は、一方の側端の小指５から他方の側端の親指へと薬指６、中指７、人指指の順序で、かつ少なくとも互いにその一部を重ね合わせ、指部相互間に適宜な位置ずれを設けて積層化される。すなわち、例えば、図９に示されるように、主要構成部Ｃの裏面に薬指６の一部を主要構成部Ｃの裏面に固着し、さらに順次、中指７、人指指９の一部が互いに固着される。主要構成部Ｃを基台としてその裏面に積層化された複数の指部相互間に適宜な位置ずれが設けてあるから、これを表面側からみると指部間には指部の厚みによる遠近感が生じる（図２、３、４参照）。このような遠近的手法による指部の配列により、一方の側面（小指５側）からみたときの手１が立体的に表現される。
【００１２】
指部相互間の「位置ずれ」については、例えば、指部の位置が同じであっても指部の形状、大きさが異なれば、配列された指部の全体形状は一致せず、指部は遠近的な手法で配置されることになるから、この場合も指部相互間に「位置ずれ」を設けたことになる。また指部の形状、大きさが同じであっても、指部の位置が異なれば、配列された指部の全体形状は一致せず、この場合も指部相互間に「位置ずれ」が生ずる。付随構成部Ｄ（複数の他の指部）は比較的小片から構成され、また主要構成部Ｃの後方に配置されるところから、押絵構造を採用しなくとも指部相互間の「位置ずれ」と指部の厚みにより自然な立体感を付与することができる。付随構成部の厚みは通常、厚紙程度の厚みでよいが適宜に選択し、あるいはその他の加工を施してもよい。
【００１３】
付随構成部Ｃの指部は種々の形態、形状をとる。指部は、通常、関節部分で屈折あるいは屈曲し、またある指部（例えば人指指９）が隣接する他の指部（例えば中指７）と分離している（図２、３参照）。すなわち隣接する２本の指部７、９間には指の付け根あるいはその近辺から間隙Ｓが形成してある。指部はそれぞれ別個に形成されるから、細い指であっても種々の形状に構成することができ、また関節部分の屈折、屈曲にも容易に対応できる。付随構成部Ｃの指部は一部を主要構成部（裏面）などに接着剤などで固着されるから、固着の段階で指部の方向を任意に設定あるいは調整することもできる。
【００１４】
主要構成部Ｃと付随構成部Ｄにさらに掌部１０を設けた構造とすることができる（図３、４参照）。掌部１０は親指１１を有する構造（図４、なお図８参照）と親指を有しない構造（図３、なお図８参照）がある。親指１１を設ける場合、掌部１０には周縁から突出する親指１１を一体に形成するのがよく、一体形成により短い親指を設けるのが容易となる。掌部１０は、例えば、厚紙などの扁平物を裁断などして所定形状に形成した基部１３の表面に肌色などの色彩が施してある。掌部１０は主要構成部Ｃの後方に配置され、一部がが主要構成部Ｃの裏面に固着される。掌部１０は主要構成部Ｃの裏面および／または付随構成部Ｄの裏側に固着することができる。掌部１０を主要構成部Ｃに固着する手段、構造に限定はない。
【００１５】
また複数の指部６、７、９は基端１７が互いに若干のずれを生ずるように重ね合わされ、積層化された指部には基端１７に指部の厚みによる段差が設けられる。そして段差上に配置された掌部１０が接着剤などで固着され、掌部１０には段差による適宜な傾斜Ｐが付与される。主要構成部Ｃの裏側に設けられる段差の位置は任意であるが、例えば、手首１９側から主要構成部Ｃの先端３１に向けて段差を設け、掌１０に先端３１に向かう傾斜Ｐを付与する（図１０、１２参照）。適宜な傾斜Ｐにより一方の側面である小指側からみた掌部１０に遠近手法による立体感を付与することができる。なお掌部の上縁２１は主要構成部Ｃおよび／または付随構成部Ｄの裏側に配置して固着され、掌部の上縁２０は表面側に露呈せず、表面側から目視されないから自然な掌部１０が構成される。
【００１６】
また傾斜Ｐを設けた掌部１０と、掌部１０に対向する付随構成部Ｄおよび／または主要構成部Ｃとの間に飾り物など他の付随物Ｅを保持することができる。付随物Ｅの種類、構造に制限はないが、図１３、１４の場合、花飾りが保持されている。付随物Ｅである飾り物には支持用の棒状部２０やひも状部（図示せず）が設けるのが好ましい。傾斜Ｐを設けた掌部１０と付随構成部Ｄおよび／または主要構成部Ｃとの間に部分的に若干の空隙Ｇを形成（図１０参照）し、空隙Ｇを利用して棒状部２０を主要構成部Ｃ、付随構成部Ｄ、掌部１０で適宜に囲繞するように保持することができる。空隙Ｇに配置された棒状部２０は接着剤などで固着され、棒状部２０を介して飾り物などの付随物Ｅが手に容易に保持される。但し、空隙Ｇを利用することなく、また棒状部２０やひも部（図示せず）を介することなく付随物Ｅを直接に保持してもよい（図示せず）。付随物Ｅを保持する場合、親指は、通常、付随物Ｅに遮蔽されて目視できないから、掌部１０に親指を設ける必要はない。なお図１３では掌部の上縁２１は中指７上に位置している。
【００１７】
次に他方の側面である親指側からみた手について説明を加えると、その基本構造は、前記の小指側からみた手の場合と同じであるから、詳しい説明は省略する。例えば、図５は主要構成部Ｃが親指１１と人指指９を含む手の一方の側面部１２およびこれと一体に形成された腕部３を有し、またそれぞれ別個に形成された複数の他の指部７、６、５を有する付随構成部Ｄを備える。図６に示すように、主要構成部Ｃにおける親指１１と人指指９は互いに分離されて間隔Ｓを有するが、このような形態あるいは形状に限定されず、親指１１のみを含むものでもよい（図示せず）。主要構成部Ｃの後方（親指２１と人指指９）でありその裏面に配置して固着される付随構成部Ｄは、一方の側端にある親指１１あるいは人指指９から他方の側端へと中指部７、薬指６、小指５の順序で配列されるとともに、少なくとも互いに一部を重ね合わせて固着し、かつこれら指部相互間に適宜な位置ずれを設けて積層化される。主要構成部Ｃが視点に最も近く配置されるとともにその後方に指部が順次配列されており、指部が近法の手法で配置されているから、一方の側面である親指側からみた手は、前記の小指側からみた手の場合と同様に、立体感のある手となる。
【００１８】
【発明の効果】
このように本発明によれば、人物像の手に立体観とリアリテイを付与することができ、簡易な構成ながら商品価値を飛躍的に高めることができる。
【図面の簡単な説明】
【図１】本発明にかかる羽子板の斜視図である。
【図２】人物像の手であって小指側からみた手の正面図である。
【図３】人物像の手であって小指側からみた他の手を示す正面図である。
【図４】人物像の手であって小指側からみたさらに他の手を示す正面図である。
【図５】人物像の他の手であって親指側からみた手の正面図である。
【図６】図５の手であって親指と人指指を含む主要構成部の正面図である。
【図７】人物像の手を分解して説明する分解図である。
【図８】人物像の手を構成するそれぞれの基部の正面図である。
【図９】人物像の手の制作過程を説明的に示す背面図であり、（１）は主要構成部の背面図、（２）は主要構成部に指部を固着した状態の背面図、（３）はさらに掌部を固着した状態の背面図である。
【図１０】人物像の手の部分的な拡大断面図である。
【図１１】人物像の手であり、図９（２）の掌が設けてない手の平面図である。
【図１２】人物像の手であり、図９（３）の掌が設けてある手の平面図である。
【図１３】人物像の手であり、飾り物などの付随物が保持された手の正面図である。
【図１４】人物像の手であり、飾り物などの付随物が保持された手の背面図である。
【符号の説明】
羽子板Ａ
人物像Ｂ
主要構成部Ｃ
付随構成部Ｄ
付随物Ｅ
１  手
２  袖口
３  腕部
５  小指
６  薬指
７  中指
９  人指指
１０  掌
１１  親指
１２  側面部
１３  基部
１５  綿
１７  基端
１９  手首
２０  棒状部
２１  上縁
【図１】
2004358187.tif 000003
【図２】
2004358187.tif 000004
【図３】
2004358187.tif 000005
【図４】
2004358187.tif 000006
【図５】
2004358187.tif 000007
【図６】
2004358187.tif 000008
【図７】
2004358187.tif 000009
【図８】
2004358187.tif 000010
【図９】
2004358187.tif 000011
【図１０】
2004358187.tif 000012
【図１１】
2004358187.tif 000013
【図１２】
2004358187.tif 000014
【図１３】
2004358187.tif 000015
【図１４】
2004358187.tif 000016